(57)【要約】【課題】処置具起上台を駆動するための駆動アームが、十分な強度を確保しつつ、回動時に蓋状部材の内面と干渉することなく全回動範囲にわたってスムーズに作動することができる側方視型内視鏡の先端部を提供すること。【解決手段】先端部本体２の凹部８内に配置されている駆動アーム１０と凹部８の表面を塞ぐ蓋状部材１３の内面との干渉を避けるための第１の面取り部１５を駆動アーム１０の全幅にわたって形成すると共に、駆動アーム１０が遠隔操作によって回動したときに蓋状部材１３の内面との干渉を避けるための第２の面取り部１６を、第１の面取り部１５の稜線によって形成される角部分のみに形成した。【選択図】      図１
2005304586.tif 000002
【特許請求の範囲】
【請求項１】
挿入部の先端に設けられた先端部本体から外方に突出される処置具の突出方向を変える処置具起上台を駆動するための駆動アームが、上記先端部本体の円弧状の断面形状に形成されている外周部分から凹んで形成された凹部内に遠隔操作によって回動するように配置されて、上記凹部の表面が蓋状部材によって塞がれた構造の側方視型内視鏡の先端部において、
上記先端部本体の凹部内に配置されている上記駆動アームと上記凹部の表面を塞ぐ上記蓋状部材の内面との干渉を避けるための第１の面取り部を上記駆動アームの全幅にわたって形成すると共に、上記駆動アームが遠隔操作によって回動したときに上記蓋状部材の内面との干渉を避けるための第２の面取り部を、上記第１の面取り部の稜線によって形成される角部分のみに形成したことを特徴とする側方視型内視鏡の先端部。
【発明の詳細な説明】
【技術分野】
【０００１】
この発明は、挿入部先端から外方に突出される処置具類の突出方向を変えるための処置具起上台を有する側方視型内視鏡の先端部に関する。
【背景技術】
【０００２】
側方視型内視鏡の挿入部の先端には一般に、処置具挿通チャンネルを通って外方に突出される処置具の突出方向を変えるための処置具起上台が、遠隔操作によって回動させることができるように配置されている。
【０００３】
そのような処置具起上台は、かつては操作ワイヤを直接連結して駆動する構成を採っていたが、突出される処置具が操作ワイヤに引っ掛かるような不具合が発生しないようにするために、操作ワイヤが連結された駆動アームを処置具起上台とは別に設けて、駆動アームにより処置具起上台を回動駆動するようにしている（例えば、特許文献１）。
【特許文献１】特開平８−５６９００
【発明の開示】
【発明が解決しようとする課題】
【０００４】
図８は、そのような従来の側方視型内視鏡の先端部を示しており、処置具起上台９２を駆動するための駆動アーム９３が、先端部本体９０の外周部に形成された凹部９４内に遠隔操作によって回動するように配置されている。９５は操作ワイヤである。
【０００５】
凹部９４は、先端部本体９０の断面形状が円弧状に形成されている外周部分から凹んで形成されており、凹部９４の表面が蓋状部材９１により塞がれて、その内部に駆動アーム９３が収容された状態になっている。図８には、蓋状部材９１が取り外された状態が図示されている。
【０００６】
そして、凹部９４内に配置されている駆動アーム９３が蓋状部材９１の内面と干渉しないよう、駆動アーム９３を単体で図示する図９にも示されるように、駆動アーム９３の全幅にわたる面取り部９６が駆動アーム９３の基端寄りの部分に形成されている。９３ｓは、処置具起上台９２に連結される駆動アーム９３の回転軸部である。
【０００７】
しかし、駆動アーム９３や凹部９４等の加工公差のバラツキ等によっては、図１０に示されるように駆動アーム９３が遠隔操作によって回動した時に、面取り部９６の稜線によって形成される角部分９７が蓋状部材９１の内面にぶつかって駆動アーム９３の回動範囲が所定の範囲より狭くなり、その結果、処置具起上台９２の作動範囲不足が生じる場合があった。
【０００８】
そこで、例えば面取り部９６をより大きく形成して蓋状部材９１の内面との間の隙間を大きくすればそのような不具合を無くすことができるが、駆動アーム９３には捻じれを伴う大きな集中応力が作用するので、面取り部９６をいたずらに大きく形成すると駆動アーム９３の強度不足の問題が発生してしまう。
【０００９】
そこで本発明は、処置具起上台を駆動するための駆動アームが、十分な強度を確保しつつ、回動時に蓋状部材の内面と干渉することなく全回動範囲にわたってスムーズに作動することができる側方視型内視鏡の先端部を提供することを目的とする。
【課題を解決するための手段】
【００１０】
上記の目的を達成するため、本発明の側方視型内視鏡の先端部は、挿入部の先端に設けられた先端部本体から外方に突出される処置具の突出方向を変える処置具起上台を駆動するための駆動アームが、先端部本体の円弧状の断面形状に形成されている外周部分から凹んで形成された凹部内に遠隔操作によって回動するように配置されて、凹部の表面が蓋状部材によって塞がれた構造の側方視型内視鏡の先端部において、先端部本体の凹部内に配置されている駆動アームと凹部の表面を塞ぐ蓋状部材の内面との干渉を避けるための第１の面取り部を駆動アームの全幅にわたって形成すると共に、駆動アームが遠隔操作によって回動したときに蓋状部材の内面との干渉を避けるための第２の面取り部を、第１の面取り部の稜線によって形成される角部分のみに形成したものである。
【発明の効果】
【００１１】
本発明によれば、第１の面取り部の稜線によって形成される角部分に第２の面取り部を形成したことにより、各部材に加工公差のバラツキ等があっても、駆動アームが遠隔操作によって回動したとき駆動アームと蓋状部材の内面との間に隙間が確保され、その結果駆動アームが所定の回動範囲いっぱいに回動することができて処置具起上台の作動範囲不足が発生せず、しかも、第２の面取り部は第１の面取り部の稜線によって形成される角部分のみに形成したので、駆動アームが十分な強度を確保することができる。
【発明を実施するための最良の形態】
【００１２】
挿入部の先端に設けられた先端部本体から外方に突出される処置具の突出方向を変える処置具起上台を駆動するための駆動アームが、先端部本体の円弧状の断面形状に形成されている外周部分から凹んで形成された凹部内に遠隔操作によって回動するように配置されて、凹部の表面が蓋状部材によって塞がれた構造の側方視型内視鏡の先端部において、先端部本体の凹部内に配置されている駆動アームと凹部の表面を塞ぐ蓋状部材の内面との干渉を避けるための第１の面取り部を駆動アームの全幅にわたって形成すると共に、駆動アームが遠隔操作によって回動したときに蓋状部材の内面との干渉を避けるための第２の面取り部を、第１の面取り部の稜線によって形成される角部分のみに形成する。
【実施例】
【００１３】
図面を参照して本発明の実施例を説明する。
図３は側方視型内視鏡の先端部を示しており、可撓管状の挿入部１の最先端部分に連結された金属製の先端部本体２にプラスチック製の先端キャップ３が被せられている。先端キャップ３は先端部本体２に対して着脱することが可能であり、図４には、先端キャップ３が先端部本体２から取り外された状態が図示されている。
【００１４】
先端部本体２の先端キャップ３が被さっていない側面部分には、観察窓４と照明窓５が前後に並んで配置され、その横に並んで形成されている処置具突出溝６内に、処置具起上台７が軸孔７ａの位置を中心に回動自在に配置されている。
【００１５】
そして、挿入部１内に挿通配置されている処置具挿通チャンネルに通した処置具の先端部分１００を、図３に示されるように処置具起上台７に沿って外方に突出させ、処置具起上台７を遠隔操作により回動させて処置具の先端部分１００の突出方向を任意に制御することができる。
【００１６】
処置具起上台７を回動駆動するための駆動アーム１０は、図５及び図６に示されるように、先端部本体２の円弧状の（軸線周りの方向に円弧状の）断面形状に形成されている外周部分から凹んで形成された凹部８内に、遠隔操作によって回動するように配置されて、凹部８の表面が蓋状部材１３によって塞がれている。
【００１７】
なお、図６は、処置具起上台７の軸孔７ａ位置における正面断面図（先端部本体２の軸線に対して垂直な方向の断面図）であり、図５は、先端部本体２から先端キャップ３が取り外されて、さらに凹部８から蓋状部材１３が取り外された状態を示している。
【００１８】
蓋状部材１３は、駆動アーム１０が体内汚液等によって作動不良を起こさないように凹部８の開口部をシールするためのものであり、接着力の低い接着剤による接合、又はシール剤を塗布してビス止め固定等の手段により、先端部本体２に対して取り外し可能に取り付けられる。
【００１９】
１１は、挿入部１の基端に連結されている図示されていない操作部からの遠隔操作によって進退操作される操作ワイヤであり、その先端に固着されたワイヤ連結部材１２が駆動アーム１０の先端近傍に形成されたワイヤ連結孔１７に回動自在に嵌め込まれている。
【００２０】
駆動アーム１０には基端側において直角に内方に向かう連結軸部１０ｓが一体に形成されており、その連結軸部１０ｓが先端部本体２に回転自在に軸支されていて、連結軸部１０ｓの先端部分に形成されている角軸部が処置具起上台７の軸孔７ａに嵌め合わされている。
【００２１】
そのような構成により、操作ワイヤ１１を進退操作すると駆動アーム１０が連結軸部１０ｓを中心に回動し、連結軸部１０ｓを介して駆動アーム１０に連結されている処置具起上台７が駆動アーム１０と共に軸孔７ａの位置を中心に回動運動をする。
【００２２】
駆動アーム１０の基端寄りの部分には、駆動アーム１０を単体で図示する図７にも示されるように、蓋状部材１３の内面との干渉を避けるための第１の面取り部１５が駆動アーム１０の全幅にわたって形成されている。その結果、図６に示されるように、駆動アーム１０と蓋状部材１３の内周面との間には少なくとも例えば０．２ｍｍ程度の隙間が確保されている。
【００２３】
しかし、操作ワイヤ１１の進退操作によって駆動アーム１０が回動すると、駆動アーム１０や凹部８等の加工公差のバラツキ等によっては、第１の面取り部１５の稜線により形成される角部分が蓋状部材１３の内面にぶつかる可能性がある。
【００２４】
そこで、その角部分に、駆動アーム１０が回動したときに蓋状部材１３の内面との干渉を避けるための第２の面取り部１６が形成されている。ただし、駆動アーム１０の強度を低下させないよう、第２の面取り部１６は第１の面取り部１５の稜線によって形成される角部分（幅方向において両側）のみに形成されている。
【００２５】
このように構成された実施例の側方視型内視鏡の先端部は、図１に示されるように、操作ワイヤ１１の進退操作によって駆動アーム１０が回動したとき、第１の面取り部１５の稜線によって形成される角部分に第２の面取り部１６が形成されていることにより、その部分を含む正面断面図である図２に図示されるように、駆動アーム１０と蓋状部材１３の内面との間に隙間が確保されて、駆動アーム１０が所定の回動範囲いっぱいに回動することができ、処置具起上台９２の作動範囲不足が生じない。
【図面の簡単な説明】
【００２６】
【図１】本発明の実施例の側方視型内視鏡の先端部の駆動アームが回動した状態の部分分解斜視図である。
【図２】本発明の実施例の側方視型内視鏡の先端部の駆動アームが回動した状態の第２の面取り部を含む部分の正面半断面図である。
【図３】本発明の実施例の側方視型内視鏡の先端部の斜視図である。
【図４】本発明の実施例の側方視型内視鏡の先端部の分解斜視図である。
【図５】本発明の実施例の側方視型内視鏡の先端部の駆動アームが真っ直ぐな状態の部分分解斜視図である。
【図６】本発明の実施例の側方視型内視鏡の先端部の駆動アームが真っ直ぐな状態の連結軸部を含む部分の正面半断面図である。
【図７】本発明の実施例の駆動アームの部分斜視図である。
【図８】従来の側方視型内視鏡の先端部の駆動アームが真っ直ぐな状態の部分分解斜視図である。
【図９】従来の駆動アームの部分斜視図である。
【図１０】従来の側方視型内視鏡の先端部の駆動アームが回動した状態の部分分解斜視図である。
【符号の説明】
【００２７】
１  挿入部
２  先端部本体
７  処置具起上台
８  凹部
１０  駆動アーム
１１  操作ワイヤ
１３  蓋状部材
１５  第１の面取り部
１６  第２の面取り部
【図１】
2005304586.tif 000003
【図２】
2005304586.tif 000004
【図３】
2005304586.tif 000005
【図４】
2005304586.tif 000006
【図５】
2005304586.tif 000007
【図６】
2005304586.tif 000008
【図７】
2005304586.tif 000009
【図８】
2005304586.tif 000010
【図９】
2005304586.tif 000011
【図１０】
2005304586.tif 000012